(57)【要約】      （修正有）【課題】ユーザが好みに応じて登録した設定を、一時的に変更した場合に、変更した設定をユーザが望むタイミングで登録したときの設定に戻すことができる撮像装置を提供する。【解決手段】デジタルカメラ１００は、所定機能の設定に関してユーザがその設定を登録可能であり、所定機能の設定に関して、ユーザにより登録された設定の内容であるベース設定を含む設定情報を記憶するフラッシュメモリ１４５と、設定情報をユーザ指示にしたがい変更し、その後に、所定のタイミングで、変更した設定情報の内容をベース設定へ戻すコントローラ１３５と、を備える。コントローラは、ユーザの指示に基づき所定のタイミングを設定する。【選択図】図１
2020005091.tif 000002
【特許請求の範囲】
【請求項１】
所定機能の設定に関して、ユーザがその設定を登録可能な撮像装置であって、
前記所定機能の設定に関して、ユーザにより登録された設定の内容であるベース設定を含む設定情報を記憶する記憶部と、
前記設定情報をユーザ指示にしたがい変更し、その後に、所定のタイミングで、変更した設定情報の内容を前記ベース設定へ戻す設定部と、を備え、
前記設定部は、ユーザの指示に基づき前記所定のタイミングを設定する、
撮像装置。
【請求項２】
前記所定のタイミングは、前記撮像装置の電源スイッチが操作された時、撮像装置のスリープモードへの移行時若しくはスリープモードからの復帰時、及び、動作モードの切り換え時のうちの少なくとも１つを含む、
請求項１に記載の撮像装置。
【請求項３】
前記所定機能の設定は、撮像画像の色味や画質を設定するための設定を含む、請求項１に記載の撮像装置。
【請求項４】
前記所定機能の設定は、オートフォーカスに関する設定と、撮影モードに関する設定と、表示モニタの表示設定とのうちの少なくともいずれか１つを含む、請求項１に記載の撮像装置。
【発明の詳細な説明】
【技術分野】
【０００１】
本開示は、所定機能の設定についてユーザがカスタマイズできる機能を有する撮像装置に関する。
【背景技術】
【０００２】
特許文献１は、カメラのコントロール設定の制御に関する方法を開示する。具体的には、特許文献１は、電源オンの時に、電源オフからの経過時間をカメラ内で決定するステップと、経過時間が所定のしきい値よりも短いときには、少なくとも１つのコントロール設定を継続値に戻すステップと、経過時間が所定のしきい値よりも長いときには、少なくとも１つのコントロール設定をデフォルト値に戻すステップとを有するカメラのコントロール方法を開示する。
【先行技術文献】
【特許文献】
【０００３】
【特許文献１】特開２００４−３３４２０９号公報
【発明の概要】
【発明が解決しようとする課題】
【０００４】
本開示は、ユーザが好みに応じてカスタマイズした設定をさらに一時的に変更した場合に、変更した設定をユーザが望むタイミングで、カスタマイズしたときの元の設定に戻すことができる撮像装置を提供する。
【課題を解決するための手段】
【０００５】
本開示の第一の態様において、所定機能の設定に関して、ユーザがその設定を登録可能な撮像装置である。撮像装置は、所定機能の設定に関して、ユーザにより登録された設定の内容であるベース設定を含む設定情報を記憶する記憶部と、設定情報をユーザ指示にしたがい変更し、その後に、所定のタイミングで、変更した設定情報の内容をベース設定へ戻す設定部と、を備える。設定部は、ユーザの指示に基づき所定のタイミングを設定する。
【発明の効果】
【０００６】
本開示によれば、ユーザがカスタマイズした設定をさらに一時的に変更した場合に、変更した設定を所望のタイミングでカスタマイズしたときの元の設定に戻すことができ、ユーザの利便性を向上できる。
【図面の簡単な説明】
【０００７】
【図１】本開示の一実施の形態であるデジタルカメラの構成を示すブロック図
【図２】フォトスタイルを説明した図
【図３】マイフォトスタイルを説明した図
【図４】デジタルカメラに格納されるフォトスタイル設定情報及びマイフォトスタイル設定情報を説明した図
【図５】フォトスタイルに関する設定情報の変遷を説明した図
【図６】変更前のマイフォトスタイル設定情報と、変更されたマイフォトスタイル設定情報との関係を説明した図
【図７】マイフォトスタイル設定情報の登録内容へのリセットタイミングの設定画面を説明した図
【図８】リセットタイミング設定情報の構成例を示した図
【図９】一時的に変更されたマイフォトスタイル設定情報のベース設定へのリセットのためのメニュー画面を説明した図
【図１０】マイフォトスタイル機能が選択されたときにコントローラにより実行される処理を示すフローチャート
【図１１】マイフォトスタイル設定情報の登録内容へのリセット処理を示すフローチャート
【図１２】カスタム設定情報を説明した図
【図１３】カスタム設定情報の登録内容へのリセットタイミングの設定画面を説明した図
【発明を実施するための形態】
【０００８】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。なお、発明者（ら）は、当業者が本開示を十分に理解するために添付図面および以下の説明を提供するのであって、これらによって特許請求の範囲に記載の主題を限定することを意図するものではない。
【０００９】
（実施の形態１）
〔１−１．構成〕
図１は、本開示の実施の形態にかかるデジタルカメラの構成を示した図である。デジタルカメラ１００は、被写体を撮像して画像データを生成する。特に、本実施の形態のデジタルカメラ１００は、ユーザが種々の設定（制御パラメータ）をユーザの好みに応じてカスタマイズできる機能を有している。
【００１０】
デジタルカメラ１００は、光学系１１０を介して形成された被写体像をイメージセンサ１１５で撮像し画像データを生成する。画像処理部１２０は、イメージセンサ１１５により生成された撮像データに対して各種処理を施して画像データを生成する。コントローラ１３５は、画像処理部１２０にて生成された画像データをカードスロット１４０に装着されたメモリカード１４２に記録する。また、コントローラ１３５は、メモリカード１４２に記録された画像データを、使用者による操作部１５０の操作にしたがい液晶モニタ１３０上に表示させること（再生）ができる。
【００１１】
光学系１１０は、フォーカスレンズ、ズームレンズ、光学式手ぶれ補正レンズ（ＯＩＳ）、絞り、シャッタ、等を含む。光学系１１０に含まれる各種レンズは、何枚から構成されるものであっても、何群から構成されるものであってもよい。
【００１２】
イメージセンサ１１５は、光学系１１０を介して形成された被写体像を撮像して撮像データを生成する。イメージセンサ１１５は、所定のフレームレート（例えば、３０フレーム／秒）で新しいフレームの画像データを生成する。イメージセンサ１１５における、撮像データの生成タイミングおよび電子シャッタ動作は、コントローラ１３５によって制御される。なお、イメージセンサ１１５は、ＣＭＯＳイメージセンサ、ＣＣＤイメージセンサ、またはＮＭＯＳイメージセンサなど、種々のイメージセンサを用いてもよい。
【００１３】
画像処理部１２０は、イメージセンサ１１５から出力された撮像データに対して各種の処理を施して画像データを生成する。また、画像処理部１２０は、メモリカード１４２から読み出した画像データに各種の処理を施して、液晶モニタ１３０に表示するための画像を生成する。各種処理としては、ホワイトバランス補正、ガンマ補正、ＹＣ変換処理、電子ズーム処理、圧縮処理、伸張処理等が挙げられるが、これらに限定されない。画像処理部１２０は、ハードワイヤードな電子回路で構成してもよいし、プログラムを用いたマイクロコンピュータなどで構成してもよい。
【００１４】
液晶モニタ１３０は、デジタルカメラ１００の背面に備わる。液晶モニタ１３０は、画像処理部１２０にて処理された画像データに基づく画像を表示する。なお、液晶モニタに代えて、有機ＥＬモニタなど、他のモニタを用いてもよい。
【００１５】
コントローラ１３５はＣＰＵを含み、デジタルカメラ１００全体の動作を統括制御する。コントローラ１３５は、ＣＰＵに代えて、所定の機能を実現するように設計された専用の電子回路で構成されるプロセッサを含んでもよい。すなわち、コントローラ１３５は、ＣＰＵ、ＭＰＵ、ＧＰＵ、ＤＳＵ、ＦＰＧＡ、ＡＳＩＣ等の種々のプロセッサで実現できる。コントローラ１３５は１つまたは複数のプロセッサで構成してもよい。また、コントローラ１３５は、画像処理部１２０などと共に1つの半導体チップで構成してもよい。図示していないが、コントローラ１３５はＲＯＭを内蔵する。また、ＲＯＭには、コントローラ１３５により実行されるオートフォーカス制御（ＡＦ制御）のような、様々なプログラムが記憶されている。また、コントローラ１３５はＣＰＵの作業領域として機能するＲＡＭ（図示せず）を内蔵している。
【００１６】
バッファメモリ１２５は、画像処理部１２０やコントローラ１３５のワークメモリとして機能する記録媒体である。バッファメモリ１２５は、ＤＲＡＭ（Ｄｙｎａｍｉｃ Ｒａｎｄｏｍ Ａｃｃｅｓｓ Ｍｅｍｏｒｙ）などにより実現される。
【００１７】
カードスロット１４０は、着脱可能なメモリカード１４２が挿入される手段である。カードスロット１４０は、メモリカード１４２を電気的及び機械的に接続可能である。メモリカード１４２は、内部にフラッシュメモリ等の記録素子を備えた外部メモリである。メモリカード１４２は、画像処理部１２０で生成される画像データなどのデータを格納できる。
【００１８】
フラッシュメモリ１４５は不揮発性の記録媒体である。
【００１９】
操作部１５０は、デジタルカメラ１００の外装に設けられた操作釦や操作レバー等のハードキーの総称であり、使用者による操作を受け付ける。操作部１５０は、例えば、レリーズ釦、モードダイヤル、タッチパネルを含む。操作部１５０はユーザによる操作を受け付けると、ユーザ操作に対応した操作信号をコントローラ１３５に送信する。
【００２０】
Ｗｉ-Ｆｉモジュール１５５は、通信規格ＩＥＥＥ８０２．１１またはＷｉ−Ｆｉ規格に準拠した通信を行う通信モジュール（回路）である。デジタルカメラ１００は、Ｗｉ-Ｆｉモジュール１５５を介して、Ｗｉ-Ｆｉモジュールを搭載した他の機器と通信することができる。デジタルカメラ１００は、Ｗｉ-Ｆｉモジュール１５５を介して、他の機器と直接通信を行ってもよいし、アクセスポイント経由で通信を行ってもよい。
【００２１】
Ｂｌｕｅｔｏｏｔｈモジュール１６０は、通信規格８０２．１５．１すなわちＢｌｕｅｔｏｏｔｈ（登録商標）規格に準拠した通信を行うためのモジュール（回路）である。デジタルカメラ１００は、Ｂｌｕｅｔｏｏｔｈモジュール１６０を介して他の機器とＢｌｕｅｔｏｏｔｈ規格に準拠した通信を行うことができる。
【００２２】
〔１−２．動作〕
以下、以上のような構成を有するデジタルカメラ１００における動作を説明する。
【００２３】
本実施の形態のデジタルカメラ１００は、ユーザが好みの色調や画質で画像を簡単に撮影できるように予め用意された複数の撮影モードを有している。以下、この撮影モードを「フォトスタイル」という。例えば、図２に示すように、「スタンダード」、「ヴィヴィッド」、「ナチュラル」、「モノクローム」等のフォトスタイルが用意されている。「スタンダード」は標準的な設定であり、「ヴィヴィッド」は、彩度及びコントラストが高めで鮮やかな効果が得られるモードである。ナチュラルは、コントラストが低めで柔らかな効果が得られるモードである。モノクロームは、色味がない単色の効果を得るモードである。
【００２４】
１つのフォトスタイルが選択されると、そのフォトスタイルが示す効果を有する画像が撮像されるように種々の制御パラメータが設定される。具体的には、フォトスタイル毎に、それぞれのフォトスタイルが示す効果が得られるように、コントラスト、ハイライト、シャドウ、彩度、色相、シャープネス及びノイズリダクションの各制御パラメータの値が設定される。
【００２５】
本実施の形態のデジタルカメラ１００では、各フォトスタイルに対して、さらにユーザの好みに合わせて、コントラストや彩度などの制御パラメータを変更できるようになっている。このように予め用意されたフォトスタイルの制御パラメータをユーザの好みに応じて変更して得られた設定は「マイフォトスタイル」として、デジタルカメラ１００内に登録できるようになっている。本実施の形態ではマイフォトスタイルは最大１０個（一例であり、これに限定されるものではない）まで登録できる。
【００２６】
図３は、マイフォトスタイルを説明した図である。マイフォトスタイルでは、コントラスト、ハイライト、シャドウ、彩度、色相、シャープネス及びノイズリダクションの制御パラメータに加えて、さらにＩＳＯ感度及びホワイトバランス（ＷＢ）の制御パラメータについてもユーザ所望の値に設定することができるようになっている。
【００２７】
デジタルカメラ１００内において、フォトスタイル及びマイフォトスタイルはそれぞれフォトスタイル設定情報及びマイフォトスタイル設定情報として管理されている。これらの情報はデジタルカメラ１００のフラッシュメモリ１４５内に格納される。図４は、フラッシュメモリ１４５に格納されるフォトスタイル設定情報及びマイフォトスタイル設定情報を説明した図である。
【００２８】
さらに、本実施の形態のデジタルカメラ１００では、登録したマイフォトスタイルの設定をユーザの好みにより一時的に変更できるようになっている。例えば、ユーザは撮影現場の状況に応じて微妙に制御パラメータを調整したい場合がある。そのような場合に、マイフォトスタイルの設定をユーザの好みにより一時的に変更できるようになっている。マイフォトスタイルに対する一時的な変更された設定は、ユーザが指定した所定のタイミングで元の設定に戻されるようになっている。
【００２９】
図５は、フォトスタイル設定情報２０と、マイフォトスタイル設定情報４０と、一時的に設定変更されたマイフォトスタイル設定情報４０ａとの間の遷移を説明するための図である。デジタルカメラ１００は予め、事前に設定されたフォトスタイル設定情報２０を格納している。ユーザは、フォトスタイル設定情報２０の内容（すなわち、制御パラメータ）の一部を好みに応じて変更することができる。例えば、「ナチュラル」のフォトスタイルに関して、彩度やシャープネスをユーザの好みの値に変更することができる。ユーザの好みに応じて変更されたフォトスタイル設定情報２０は、マイフォトスタイル設定情報４０としてデジタルカメラ１００に登録される。
【００３０】
さらに、ユーザは、登録されているマイフォトスタイル設定情報４０の設定（以下「ベース設定」という）の一部を撮影現場の状況等(晴れや曇りなどの天候の違いや撮影被写体ごとの色のバランスなど)に応じて一時的に変更（例えば、微調整）することができる。この一時的に変更されたマイフォトスタイル設定情報４０ａはデジタルカメラ１００内で保持される。一時的に変更されたマイフォトスタイル設定情報４０ａは、例えば、デジタルカメラ１００の電源オフ時に、元のベース設定に戻されても良いし、または、そのまま設定が維持されてもよい。デジタルカメラ１００の電源オフ時等に、一時的な変更がベース設定に戻されるか、維持されるかはユーザの指定に基づく。
【００３１】
図６は、フラッシュメモリ１４５におけるマイフォトスタイル設定情報の格納状態を説明した図である。フォトスタイル設定情報２０からユーザにより生成され、登録されたマイフォトスタイル設定情報４０はフラッシュメモリ１４５の保存領域に格納される。そして、ユーザにより１つのフォトスタイルが選択されたときに、選択されたマイフォトスタイルに関連するマイフォトスタイル設定情報４０がワーク領域にコピーされる。例えば、ユーザによるモードダイヤルまたは所定のボタンの操作によりマイフォトスタイルが選択される。
【００３２】
これにより、フラッシュメモリ１４５のワーク領域において、マイフォトスタイル設定情報４０ｂが格納される。その後、ユーザにより、マイフォトスタイルの設定の一部が変更されると、その変更に基づき、ワーク領域に格納されたマイフォトスタイル設定情報４０ｂが変更される。
【００３３】
図６の例では、ユーザによりマイフォトスタイル２に関する設定４２が変更され、この変更にしたがいワーク領域のマイフォトスタイル設定情報４０ｂが変更されている。すなわち、マイフォトスタイル設定情報４０ｂは、変更後のマイフォトスタイル２に関する設定４２ｂを有している。このようにして、ワーク領域におけるマイフォトスタイル設定情報４０ｂにおいて、ユーザによる変更が反映される。
【００３４】
このようなマイフォトスタイル設定情報４０ｂの変更は一時的な変更であると考えられ、ユーザが指定したタイミングで、マイフォトスタイル設定情報４０の元の設定（ベース設定）に戻される。
【００３５】
特に、本実施の形態では、マイフォトスタイル設定情報４０ｂを元の設定（ベース設定）に戻すタイミングとして、ユーザは、例えば、下記の３つのタイミングを指定することができる。
１）デジタルカメラ１００の電源オフ時
２）マイフォトスタイルの切換時
３）スリープモードへの切換時
【００３６】
図７は、設定が変更されたマイフォトスタイル設定情報４０ｂを元のベース設定（登録内容）へリセットするタイミングを指定するための設定画面を説明した図である。
【００３７】
図７に示すように、設定画面１３２は、マイフォトスタイルの設定に関する画面であり、液晶モニタ１３０上にメニュー設定画面の１つとして表示される。この設定画面１３２上で、ユーザにより「登録内容へのリセットタイミング」の項目が選択されると、リセットタイミングを設定するための設定画面１３４が表示される。
【００３８】
この設定画面１３４上における「マイフォトスタイルの切換」の項目は、例えばユーザによるモードダイヤル操作により、別のマイフォトスタイルに切り換えられたときに、変更されたマイフォトスタイル設定情報４０ｂをベース設定に戻すか否かを設定するための項目である。「ＯＮ」が設定された場合、マイフォトスタイルの切り換えによりマイフォトスタイル設定情報４０ｂはリセットされ、「ＯＦＦ」が設定された場合、マイフォトスタイルの切り換えがあってもマイフォトスタイル設定情報４０ｂは維持される。
【００３９】
「スリープモード」の項目は、デジタルカメラ１００がスリープモードになったときに、変更されたマイフォトスタイル設定情報４０ｂをベース設定に戻すか否かを設定するための項目である。「電源スイッチ」の項目は、デジタルカメラ１００の電源スイッチが操作（ＯＦＦ操作またはＯＮ操作）されたときに、変更されたマイフォトスタイル設定情報４０ｂをベース設定に戻すか否かを設定するための項目である。
【００４０】
設定画面１３４上でユーザにより設定された内容は、リセットタイミング設定情報として、フラッシュメモリ１４５に格納される。図８にリセットタイミング設定情報の例を示す。
【００４１】
なお、図７に示す設定画面１３４では、３つのリセットタイミングの全てについて「ＯＦＦ」に設定することが可能である。しかし、その場合、変更されたマイフォトスタイル設定情報４０ｂをベース設定に戻すことができなくなるという問題がある。
【００４２】
そこで、本実施の形態のデジタルカメラ１００では、３つのリセットタイミングの全てがＯＦＦであっても、メニューから、一時的に変更されたマイフォトスタイル設定情報４０ｂの変更をリセットすることができるようになっている。具体的には、コントローラ１３５は、デジタルカメラ１００のメニューから、一時的に変更されたマイフォトスタイルの画面を呼び出し、この画面上でさらに図９に示すような呼出／登録メニュー１３８を表示させる。この呼出／登録メニュー１３８上で「登録済みの内容を呼び出す」の項目が選択されると、一時的に変更されたマイフォトスタイル設定情報４０ｂの設定がベース設定に戻される。このように、ユーザ操作によって、一時的に変更されたマイフォトスタイル設定情報４０ｂを随時ベース設定に戻すことができる。
【００４３】
図１０は、ユーザによりマイフォトスタイルが選択されたときにコントローラ１３５が実行する処理を示すフローチャートである。
【００４４】
コントローラ１３５は、ユーザにより新たなマイフォトスタイルが選択されたか否かを判断する（Ｓ１１）。例えば、コントローラ１３５は、ユーザによるモードダイヤルや所定スイッチの操作に基づき新たなマイフォトスタイルが選択されたか否かを判断する。
【００４５】
新たなマイフォトスタイルが選択された場合（Ｓ１１でＹＥＳ）、コントローラ１３５は、選択されたマイフォトスタイルの保存領域に保存されている設定情報４０（ベース設定）をワーク領域にコピーする（Ｓ１２）。コントローラ１３５は、マイフォトスタイルが選択された場合、画像撮影時には、保存領域ではなく、ワーク領域に保存されているマイフォトスタイル設定情報４０ｂを参照して撮影動作に関する各種の設定を行う。
【００４６】
その後、ユーザにより、撮影現場の状況に応じて、マイフォトスタイルの一時的な設定変更（微調整）がなされると（Ｓ１３でＹＥＳ）、コントローラ１３５は、ワーク領域に保存されているマイフォトスタイル設定情報４０ｂにおいて変更に対応する設定値をユーザにより微調整（カスタマイズ）された値に変更する（Ｓ１４）。コントローラ１３５は、ワーク領域に保持されたマイフォトスタイル設定情報４０ｂを参照することで、一時的な変更を反映した設定に基づき画像撮像を行うことができる。
【００４７】
図１１は、コントローラ１３５が実行する、設定が変更されたマイフォトスタイル設定情報４０ａのリセット処理を示すフローチャートである。コントローラ１３５は、所定のイベントが発生したか否かを検出する（Ｓ２１）。ここで、所定のイベントとは、設定が変更されたマイフォトスタイル設定情報４０ａのリセットに関連したイベントであり、例えば、デジタルカメラ１００の電源オン、スリープモードからの復帰、及びマイフォトスタイルの切換である。コントローラ１３５は、リセットタイミング設定情報１３６を参照して所定のイベントを判断できる。
【００４８】
所定のイベントの発生を検出した場合（Ｓ２１でＹＥＳ）、コントローラ１３５は、フラッシュメモリ１４５に格納されたリセットタイミング設定情報１３６を参照し、検出したイベントに基づきマイフォトスタイル設定情報４０ａの変更をリセットすべきか否かを確認する（Ｓ２２）。
【００４９】
例えば、図８に示すリセットタイミング設定情報１３６を参照する場合、検出された所定のイベントが「マイフォトスタイルの切換」であれば、コントローラ１３５は、マイフォトスタイル設定情報４０ｂの変更をリセットすべきであると判断する。一方、検出された所定のイベントが「スリープモードからの復帰」または「電源オン」であれば、コントローラ１３５は、マイフォトスタイル設定情報４０ａの変更をリセットすべきでないと判断する。
【００５０】
リセットすべきであると判断した場合（Ｓ２３でＹＥＳ）、コントローラ１３５は、ワーク領域に格納されたマイフォトスタイル設定情報４０ｂをベース設定に戻す（Ｓ２４）。具体的には、コントローラ１３５は、保存領域に格納されたマイフォトスタイル設定情報４０をワーク領域にコピーする。すなわち、ワーク領域に格納されたマイフォトスタイル設定情報４０ａを保存領域に格納されたマイフォトスタイル設定情報４０で上書きする。これにより、コントローラ１３５により参照される、ワーク領域にあるマイフォトスタイル設定情報４０ｂがベース設定に戻される。
【００５１】
リセットすべきでないと判断した場合（Ｓ２３でＮＯ）、コントローラ１３５は変更されたマイフォトスタイル設定情報４０ａを維持する（Ｓ２５）。
【００５２】
以上のように、ユーザは、マイフォトスタイル設定情報４０ａの変更された設定をリセットすべきタイミングを指定することができる。これにより、ユーザが一時的に変更したマイフォトスタイル設定情報４０ａの設定を元の設定に戻すタイミングをユーザ所望のタイミングに設定でき、ユーザの利便性の向上を図れる。
【００５３】
例えば、ユーザが、登録済みのマイフォトスタイルの中から１つを選択し、その後、選択したマイフォトスタイルを一時的に変更（微調整）した場合、変更後に、被写体のシャッタチャンスが到来するまで、省エネのため、デジタルカメラ１００の電源をオフすることがある。この場合、シャッタチャンスが到来し、デジタルカメラ１００の電源をオンにしたときに、変更したマイフォトスタイルの設定が元に戻ってしまうと、ユーザは、再度、マイフォトスタイルを変更（微調整）する必要があり、ユーザの利便性が損なわれる。そこで、図７に示すような設定画面１３４上で、電源スイッチの操作時にマイフォトスタイルの一時的な変更がリセットされないように設定することで、前述のようなユーザの利便性を損なうことを低減することができる。
【００５４】
〔１−３．効果、等〕
以上のように本実施の形態のデジタルカメラ１００（撮像装置の一例）は、マイフォトスタイル（所定機能の一例）の設定に関してユーザが登録可能な撮像装置である。デジタルカメラ１００は、マイフォトスタイルの設定に関して、ユーザにより登録された設定の内容であるベース設定を含むマイフォトスタイル設定情報４０を記憶するフラッシュメモリ１４５（記憶部の一例）と、マイフォトスタイル設定情報４０をユーザ指示にしたがい変更し、その後に、所定のタイミング（電源オフ、スリープモードへの切り換え時等）で、変更したマイフォトスタイル設定情報４０ａ、４０ｂの内容をベース設定へ戻すコントローラ１３５（設定部の一例）と、を備える。コントローラ１３５は、ユーザの指示に基づき所定のタイミングを設定する。
【００５５】
所定のタイミングは、例えば、デジタルカメラ１００の電源スイッチが操作された時、デジタルカメラ１００のスリープモードへの移行時若しくはスリープモードからの復帰時、及び、動作モードの切り換え時のうちの少なくとも１つを含む。
【００５６】
以上の構成により、マイフォトスタイルの設定における一時的な変更を元のベース設定に戻すタイミングについてユーザが指定することができ、ユーザの利便性を向上できる。
【００５７】
（実施の形態２）
実施の形態１では、マイフォトスタイルの設定について、ユーザが一時的に変更した設定を元のベース設定に戻すタイミングについてユーザが指定できる構成を説明した。このような制御は、マイフォトスタイルの設定に限定されず、ユーザが好みに応じてカスタマイズした他の設定に対しても適用できる。以下、これを説明する。
【００５８】
例えば、デジタルカメラ１００は、フォトスタイルを含む複数の設定についてカスタム登録することができるカスタムモードを有している。カスタムモードでは、ユーザは、デジタルカメラ１００に設定される複数の設定をまとめて登録することができる。
【００５９】
図１２は、カスタムモードに関する設定情報であるカスタム設定情報を説明した図である。カスタム設定情報は、フォトスタイル設定、ＡＦ（オートフォーカス）設定、撮影モード（Ｍ／Ａ／Ｓ／Ｐ）、シャッタ速度、絞り値、露出補正、ＩＳＯ感度、ＷＢ（ホワイトバランス）、モニタの表示設定、等の各種の設定の組み合わせを含む。ユーザは、フォトスタイル設定、オートフォーカスに関する設定（オートフォーカスとマニュアルフォーカスの切り換え、オートフォーカスの種類の設定等）、撮影モード（Ｍ／Ａ／Ｓ／Ｐ）等のそれぞれの設定（制御パラメータ）を好みの値に設定し、カスタム登録としてデジタルカメラ１００に登録する。カスタム登録は、例えば最大１０個まで登録可能であるとする。ユーザは、登録されたカスタム登録の中から所望のものを選択することで、デジタルカメラ１００を所望の設定に設定することができる。
【００６０】
さらに、ユーザはこのカスタム登録の設定についても、マイフォトスタイル設定と同様に一時的に変更することができる。そして、この一時的な変更を元に戻すタイミングについてもマイフォトスタイル設定と同様に、ユーザが指定することができる。
【００６１】
図１３は、カスタム登録の一時的な変更のリセットのタイミングを指定するための設定画面を説明した図である。設定画面１３３上で、ユーザにより「登録内容へのリセットタイミング」の項目が選択されると、液晶モニタ１３０に、リセットタイミングを設定するための設定画面１３７が表示される。この設定画面１３７における「モードダイヤル」の項目は、モードダイヤルが操作されたときに、選択されているカスタム登録について一時的に変更された設定を元の設定に戻すか否かを設定するための項目である。元のカスタム登録の設定に戻す場合、「ＯＮ」に設定し、元の設定に戻さず変更を維持する場合は「ＯＦＦ」に設定する。「スリープモード」の項目は、スリープモードに切り替わったときに、カスタム登録について一時的に変更された設定を元の設定に戻すか否かを設定するための項目である。「電源スイッチ」の項目は、デジタルカメラ１００の電源スイッチが操作（ＯＦＦ操作またはＯＮ操作）されたときに、カスタム登録について一時的に変更された設定を元の設定に戻すか否かを設定するための項目である。設定画面１３７上でユーザにより設定された内容は、カスタムモードにおけるリセットタイミング設定情報として、フラッシュメモリ１４５に格納される。
【００６２】
以上の構成により、カスタム登録の設定における一時的な変更を元に戻すタイミングについても、マイフォトスタイル設定と同様に、ユーザが指定することができる。
【００６３】
（他の実施の形態）
以上のように、本出願において開示する技術の例示として、実施の形態１を説明した。しかしながら、本開示における技術は、これに限定されず、適宜、変更、置き換え、付加、省略などを行った実施の形態にも適用可能である。また、上記実施の形態１で説明した各構成要素を組み合わせて、新たな実施の形態とすることも可能である。
【００６４】
マイフォトスタイル設定やカスタム登録の設定は第一の設定の一例である。第一の設定は、ユーザが好みに応じてカスタマイズできる種々のデジタルカメラの設定を含む。
【００６５】
撮像装置の例としてデジタルカメラを説明したが、これに限定されない。撮像装置として、画像撮影機能と通信機能を有する電子機器（例えば、ビデオカメラ、スマートフォン、タブレット端末等）であればよい。
【００６６】
以上のように、本開示における技術の例示として、実施の形態を説明した。そのために、添付図面および詳細な説明を提供した。
【００６７】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００６８】
また、上述の実施の形態は、本開示における技術を例示するためのものであるから、特許請求の範囲またはその均等の範囲において種々の変更、置き換え、付加、省略などを行うことができる。
【産業上の利用可能性】
【００６９】
本開示は、ユーザが好みに応じて制御パラメータの設定が可能な撮像装置に有用である。
【符号の説明】
【００７０】
２０  フォトスタイル設定情報
４０  マイフォトスタイル設定情報（保存領域領域）
４０ａ  マイフォトスタイル設定情報（一部の設定が変更）
４０ｂ  マイフォトスタイル設定情報（ワーク領域）
１００  デジタルカメラ
１１０  光学系
１１５  イメージセンサ
１２０  画像処理部
１２５  バッファメモリ
１３５  コントローラ
１４０  カードスロット
１４２  メモリカード
１４５  フラッシュメモリ
１５５  Ｗｉ−Ｆｉモジュール
１６０  Ｂｌｕｅｔｏｏｔｈモジュール
【図１】
2020005091.tif 000003
【図２】
2020005091.tif 000004
【図３】
2020005091.tif 000005
【図４】
2020005091.tif 000006
【図５】
2020005091.tif 000007
【図６】
2020005091.tif 000008
【図７】
2020005091.tif 000009
【図８】
2020005091.tif 000010
【図９】
2020005091.tif 000011
【図１０】
2020005091.tif 000012
【図１１】
2020005091.tif 000013
【図１２】
2020005091.tif 000014
【図１３】
2020005091.tif 000015